(57)【要約】【課題】電話コールの課金助成用システムを提供する。【解決手段】電話コールの課金助成用システムＳは、大きな効果をもたらす一般的な電気通信網によって可能になるシステムであり、既成の技術的資源を用いて、新しい方式で組織化されており、スポンサーによって、課金助成を受けた変更可能な時間の一部分または全を有して電話コールを実行可能とし、広告および／または制度上のメッセージを発信加入者Ｘに送ることにより、課金助成が行われる。【選択図】図１
2012509625.tif 000002
【特許請求の範囲】
【請求項１】
電気通信の既成資源を用いる課金助成用通話システムであって、
発信加入者と着信加入者との通信において、一部または全部の課金をスポンサーの事業体が支払い、その代わりに、発信加入者の了解の下で、発信加入者が、スポンサーからのメッセージ、商業的な広告、促進用または制度上の告知を受け入れることを特徴とする形課金助成用通話システム。
【請求項２】
オペレータのサービスコードを資源として用い、システムを作動する手順、電話コールの変更可能な時間を減じるための手順、スポンサーが支払うためのメッセージプラットフォーム、及び音声、テキスト、及びマルチメディアによって、商業的な、広告、促進用告知報告のメッセージを有することを特徴とする請求項１記載の課金助成用通話システム。
【請求項３】
前記オペレータのサービスコードが、予め定められたフォーマットにおいて識別され、ここで、値「ｃ」により異なるルートを定めることが可能になることを特徴とする請求項１記載の課金助成用通話システム。
【請求項４】
好ましいフォーマットが、「*abc」であることを特徴とする請求項３記載の課金助成用通話システム。
【請求項５】
ローカル番号、国番号（ＤＤＤ）または国際番号（ＤＤＩ）となり得る、着信加入者の番号に連結される、前記オペレータのサービスコードを前記発信加入者がダイヤルすることにより作動されることを特徴とする請求項１記載の課金助成用通話システム。
【請求項６】
前記電気通信網の１つ以上の交換局に連結されたメッセージプラットフォームに前記オペレータのサービスコードに基づくアクセス量を指向させ、電話コールに返信し、発信加入者に、固定された時間の間、音声、テキスト、及びマルチメディアによって、メッセージ、商業的な広告、促進用または制度上の告知を送ることを特徴とする請求項１記載の課金助成用通話システム。
【請求項７】
前記発信加入者の勘定の処理の間、サービスコードに基づいて助成を受けた全時間と、後払い加入者及び一般の電気通信で行われた電話コールの変化可能な全時間と、を減じる手順を含むことを特徴とする請求項１記載の課金助成用通話システム。
【請求項８】
メッセージプラットフォームを用いて、前記オペレータのサービスコードの要素「ｃ」の可能な値の各々に対して関連付けを可能にし、日時、曜日、及び週末と休日等の特別日に従うメッセージ、商業的な広告、促進用または制度上の告知を用い、またプログラムに従う前記メッセージ、ビジネス、広告、促進用または制度上の告知、さらに、このメッセージの終りに、メッセージプラットフォームを前記作動の手順において指示された着信加入者の番号に電話コールを進ませ、全体の処理の方向を制御し、または通信網が、指示機構に接続されている場合、電話コールの方向の制御を返送し、かつ適切な信号システムを使用し、通信網に向う方向の制御を返送することを特徴とする請求項１記載の課金助成用通話システム。
【請求項９】
固定の持続時間を有する音声、テキスト、及びマルチメディアによって、メッセージ、商業的な広告、促進用または制度上の告知を用いて、作動の手順に示された着信加入者に電話コールを進ませる前に、メッセージプラットフォームが配信されることを特徴とする請求項１記載の課金助成用通話システム。
【発明の詳細な説明】
【技術分野】
【０００１】
本出願は、新規な課金助成用通話システムに関するもので、特に、電気通信網における既成の技術資源を用いて、非常に大きい効果を与える携帯電話によって可能になるシステムである。この通信網は、新しい方式で組織され、あるスポンサーが、発信加入者に対して広告および／または制度上のメッセージを送り、このスポンサーから受け入れられた変更可能な時間の一部又はすべてを有して、通話の実現を可能にする。
【背景技術】
【０００２】
現在、地球規模及び他の要因により、例えば、技術の広がりが知られており、経済上の種々の分野における競争が激化し、企業が、製品、プロセス、及び設備の最適化に投資するようになってきた。
【０００３】
電気通信網において知られた技術は、電話加入者が、課金時間の一部または全てを支払うことなしに、会話を行うことは、許されていない。この例外は、その電話コールが、緊急番号、例えば、ナンバー１９０（警察）またはプレフィックス０８００を有するブラジルの非地理的コードの場合である。費用なしの電話コールに用いられるリソースは、呼び出された番号の同意による直接ダイヤル（ブラジル人のＤＤＣ）による料金請求、あるいは表示される電話コールである。
【０００４】
電話コールの価格設定を測定するための従来の資料では、「元のユーザーにおける電話コールの実際の費用に対する制御された即時情報のためのシステム」−Ｐ１０４０１２７３−９として、通話される番号を識別することである。これは、世界的な問題に対する解法を含んでおり、この解法は、実時間及び固定及び移動電話の電話会社の集中システムにおける信頼性を見守ることである。
【０００５】
従来の欠点を認知することから、発明者は、資源及び研究のあとで、電気通信網に存在する技術的資源を利用することを主題としてシステムを作り出すが、一方、新しい方式を作り出し、発信加入者に対し、メッセージ、商業的な広告、企業促進または制度上の報告を送るために、返礼として電話事業者によって賄われた課金時間の一部又は全部を用いて新しい通話の実現を可能にする。
【発明の概要】
【発明が解決しようとする課題】
【０００６】
本発明のシステムは、公知のシステムに関連して、多数の利点を提供しており、電気通信システムでそう多くは用いられていない電話事業者のＭＯＵを増加させると共に、最も優位な補助通話である。
【課題を解決するための手段】
【０００７】
上記課題を解決するために、本発明は、電気通信の既成資源を用いる課金助成用通話システムであって、発信加入者と着信加入者との通信において、一部または全部の課金をスポンサーの事業体が支払い、その代わりに、発信加入者の了解の下で、発信加入者が、スポンサーからのメッセージ、商業的な広告、促進用または制度上の告知を受け入れることを特徴とする。
【図面の簡単な説明】
【０００８】
【図１】本発明に係る単一のフローチャート図である。
【発明を実施するための最良の形態】
【０００９】
以下において、本発明は、添付された単一のフローチャートを参照して説明される。
課金助成用通話システムは、本発明における特許利用のための要求を対象としている。このシステムは、非常に大きい効果を有し、かつ新規に組織された既成の技術的資源を用いた、一般的な電気通信網を介して可能になるシステム（Ｓ）からなり、発信加入者に対して広告および／または制度上のメッセージを送り、スポンサーから受け入れられた変更可能な一部又はすべての課金時間を用いて通話の実行を可能にする。
【００１０】
このシステム（Ｓ）は、基本的に発信加入者（Ｘ）、電話コールの方向(５）及び課金(２)を行うオペレータの交換局(５）、メッセージプラットフォーム、及び着信加入者(１）を含んでいる。
【００１１】
さらに、システム（Ｓ）は、促進メッセージのルートに電話コールを指向させるために、特定フォーマットにおいて、例えば、＊ａｂｃのコードを、事業者(オペレータ）のサービスコードとして用いる。第１段階において、システム（Ｓ）は、発信加入者（Ｘ）がオペレータのサービスコードをダイアルして、着信加入者(１)の番号に連結することにより動作される。サービスコードを受信すると、交換局（５）は、プリペイド(a)に基づく発信加入者を識別し、プリペイドプラットフォームを作動させて、次の電話コール(２）の課金を準備する。
【００１２】
この交換局(５）は、サービスコード(b)の分析に基づき、電話コールをメッセージプラットフォーム(３）のルートに進ませる。このメッセージプラットフォーム(３）は、サービスコードの識別器「ｃ」に基づき、また、結果として、日時、曜日、及び（週末、休日）の形式に基づき、正しいメッセージ／商業的の、広告、促進または発信加入者（ｃ）に送るための共同告知を選択する。メッセージの終りに、メッセージプラットフォームは、発信加入者によって処理が行われるとき、サービスコードに表示され、連結されている着信加入者(d)の番号に基づいて電話コール(６）の方向を実行する交換局(５）に呼び出しの制御信号を戻す。着信加入者がフリーである場合、交換局(５）は、発信加入者と着信加入者との間の接続を確立する。そして、２つの加入者は、通話(e)を開始することができる。２つの加入者の一方の交換によりマークされた電話コールが終了し、交換局は、両方向(８）における接続を解放させる。
【００１３】
続いて、交換局(５）は、通話の全時間をプリペイドプラットフォームに知らせる。そして、事業者によって定められた出資金を減少させる。その結果、発信加入者が利用できるクレジットから現金化できる流動時間が、差し引かれる。こうして、発信加入者は、スポンサーによって支払われる通話の持続時間に基づいて、通話の変更可能な時間の一部または全部の利益を享受できる。この設備が後払い加入者及び一般の電気通信網に対して適用される場合、交換局は、プリペイドプラットフォームまたは制御(２）を含む必要が無くなり、また制御(９)は、実行されないで、処理(f)が終了する。出資された時間は、この通話のサービスコードに基づく加入者勘定の処理中、課金時間から差し引かれることになる。
【図１】
2012509625.tif 000003
【国際調査報告】
2012509625.tif 000004
2012509625.tif 000005
2012509625.tif 000006